(57)【要約】【課題】防護効果の高いゴミ防護シートを提供する。【解決手段】ごみ防護シート１は、第１のシート状部材１０及び第２のシート状部材３０を重畳して構成される。第１のシート状部材１０は緑色の網状シートであり、第２のシート状部材３０は銀色の遮光性シートである。ごみ防護シート１の周縁部には、砂が封入されたロープ状おもり２０が設けられている。ごみ防護シート１は、第１のシート状部材１０を外側に向けた状態で、ごみなどを覆い隠す。【選択図】図１
0003146989.tif 000002
【実用新案登録請求の範囲】
【請求項１】
複数の開口を有する第１のシート状部材と、
前記第１のシート状部材に重ね合わされた第２のシート状部材と
を有するごみ防護シート。
【請求項２】
前記第１のシート状部材は、網状のシートであり、
前記第２のシート状部材は、フィルム状のシートである
請求項１に記載のごみ防護シート。
【請求項３】
周縁部に配置されたおもり
をさらに有する請求項２に記載のごみ防護シート。
【請求項４】
前記おもりは、砂又は石が封入されたロープである
請求項３に記載のごみ防護シート。
【請求項５】
前記第２のシート状部材は、光を反射する遮光性フィルムシートであり、
前記第１のシート状部材は、前記第２のシート状部材とは異なる色の網状シートである
請求項２に記載のごみ防護シート。
【請求項６】
前記第１のシート状部材と、前記第２のシート状部材とが、互いに重畳された状態で、これらの周縁部のみを縫い合わせて一体となっている
請求項５に記載のごみ防護シート。
【請求項７】
前記第１のシート状部材は、緑色の網状シートであり、
前記第２のシート状部材は、銀色の遮光性フィルムシートである
請求項６に記載のごみ防護シート。
【請求項８】
周縁部に配置されたロープ状のおもり
をさらに有し、
前記第２のシート状部材の周縁部を折り返し、この折返し部分に、前記ロープ状のおもりと、前記第１のシート状部材の周縁部とを挟み込んだ状態で縫い合わせてなる
請求項７に記載のごみ防護シート。
【考案の詳細な説明】
【技術分野】
【０００１】
本考案は、ごみ防護シートに関するものである。
【背景技術】
【０００２】
例えば、特許文献１には、プラスチック製防鳥ネットにマイナスイン発生材が存在する防鳥ネットが開示されている。
【特許文献１】特開２００４−２７５０８８号公報
【考案の開示】
【考案が解決しようとする課題】
【０００３】
本考案は、上述した背景からなされたものであり、防護効果の高いゴミ防護シートを提供することを目的とする。
【課題を解決するための手段】
【０００４】
本考案に係るごみ防護シートは、複数の開口を有する第１のシート状部材と、前記第１のシート状部材に重ね合わされた第２のシート状部材とを有する。
【０００５】
好適には、前記第１のシート状部材は、網状のシートであり、前記第２のシート状部材は、フィルム状のシートである。
【０００６】
好適には、周縁部に配置されたおもりをさらに有する。
【０００７】
好適には、前記おもりは、砂又は石が封入されたロープである。
【０００８】
好適には、前記第２のシート状部材は、光を反射する遮光性フィルムシートであり、前記第１のシート状部材は、前記第２のシート状部材とは異なる色の網状シートである。
【０００９】
好適には、前記第１のシート状部材と、前記第２のシート状部材とが、互いに重畳された状態で、これらの周縁部のみを縫い合わせて一体となっている。
【００１０】
好適には、前記第１のシート状部材は、緑色の網状シートであり、前記第２のシート状部材は、銀色の遮光性フィルムシートである。
【００１１】
好適には、周縁部に配置されたロープ状のおもりをさらに有し、前記第２のシート状部材の周縁部を折り返し、この折返し部分に、前記ロープ状のおもりと、前記第１のシート状部材の周縁部とを挟み込んだ状態で縫い合わせてなる。
【考案の効果】
【００１２】
本考案のごみ防護シートは、高い防護効果を奏する。
【考案を実施するための最良の形態】
【００１３】
図１は、ごみ防護シート１の製造方法を説明する図である。
図１に例示するように、ごみ防護シート１は、第１のシート状部材１０、ロープ状おもり２０、及び第２のシート状部材３０を有する。
【００１４】
第１のシート状部材１０は複数の開口を有する。本例の第１のシート状部材１０は、ポリプロピレンなどの合成繊維で構成された網状シートである。網状シートの網目は、例えば、２０ｍｍ〜４０ｍｍ角である。
また、本例の第１のシート状部材１０は、緑色の網状シートであり、一辺が２ｍ〜５ｍ程度の正方形又は長方形である。
【００１５】
ロープ状おもり２０は、ごみ防護シート１の周縁部に配置されるおもりであり、例えば、１ｍあたり１００ｇ以上のロープである。本例のロープ状おもり２０には、砂又は石がその内部に封入されている。なお、砂又は石の代わりに、鉄などの金属（鉛以外）を封入してもよい。
【００１６】
第２のシート状部材３０はフィルム状のシートである。本例の第２のシート状部材３０は、ポリエチレンなどの合成繊維で構成されたフィルム状織物であり、６０％以上の遮光率を有する。
また、本例の第２のシート状部材３０は、銀色の遮光性シートであり、光を反射する。
【００１７】
第１のシート状部材１０、ロープ状おもり２０、及び第２のシート状部材３０は、図１に例示するように重ね合わせて、これらの周縁部のみを固定して一体となる。より具体的には、第２のシート状部材３０が第１のシート状部材１０よりも大きくなっており、第１のシート状部材１０、ロープ状おもり２０及び第２のシート状部材３０が重ねられた状態で、図１の折返し位置（図中の一点鎖線）で第２のシート状部材３０の周縁部を折り返し、この折返し部分に、第１のシート状部材１０の周縁部と、ロープ状おもり２０とを挟み込んだ状態で縫い合わせる。
【００１８】
これにより、図２に例示するごみ防護シート１が製造される。
また、ごみ防護シート１には、図２に例示するように、鳩目４０と、白色シート５０とが設けられている。
鳩目４０は、ごみ防護シート１の四隅に設けられている。
また、白色シート５０は、ごみ防護シート１の一つの隅に設けられている。
【００１９】
ごみ防護シート１は、第１のシート状部材１０を表側に出した状態で、ごみなどに被せられる。第１のシート状部材１０、ロープ状おもり２０及び第２のシート状部材３０はいずれも容易に変形する素材で構成されているため、ごみ防護シート１は、ごみの形状に合わせて変形する。さらに、周縁部にロープ状おもり２０が配置されていることから、ごみ防護シート１は、ごみの外形に沿って覆い被さる。
また、ごみ防護シート１の表面には、緑色の網状シートと、銀色の遮光性シートとが現れており、落ち着いた色彩で街に同化する。さらには、銀色の遮光性シートがごみを隠すと共に、その反射光によりカラスなどを寄せ付けない。また、表面の網状シートによってもカラスなどの害を抑制することができる。
【００２０】
なお、本考案は上記実施形態に限定されるものではなく、種々の変形例が考えられる。
例えば、第１のシート状部材１０は、網状シートではなく、所定のパターンの開口が複数設けられたフィルム状シートであってもよい。
また、上記実施形態では、２重のシートとなっているが、３重以上のシートであってもよい。
【図面の簡単な説明】
【００２１】
【図１】ごみ防護シート１の製造方法を説明する図である。
【図２】ごみ防護シート１の表面を例示する図である。
【符号の説明】
【００２２】
１    ごみ防護シート
１０  第１のシート状部材
２０  ロープ状おもり
３０  第２のシート状部材
４０  鳩目
５０  白色シート
【図１】
0003146989.tif 000003
【図２】
0003146989.tif 000004